(57)【要約】【課題】食器乾燥器等の電動昇降吊戸棚において、操作性の向上、水濡れ等に対する静電対策の強化、設置時等の安全性および外観の向上等を図る。【解決手段】建物上部に電動式昇降機構によって昇降するキャビネットを設け、このキャビネットの前面側に上端を支点として開閉する扉３を配置した電動昇降吊戸棚であり、電動式昇降機構を操作するための操作部として、扉における支点と反対の側に配置された昇降操作用の上側スイッチ３８と、昇降棚の下部に配置された昇降操作用の下側スイッチ３７と備える。【選択図】  図１
2010213900.tif 000002
【特許請求の範囲】
【請求項１】
建物上部に電動式昇降機構によって昇降するキャビネットを設け、このキャビネットの前面側に上端を支点として開閉する扉を配置した電動昇降吊戸棚であって、前記電動式昇降機構を操作するための操作部として、前記扉における前記支点と反対の側に配置された昇降操作用の上側スイッチと、前記昇降棚の下部に配置された昇降操作用の下側スイッチと備えたことを特徴とする電動昇降吊戸棚。
【請求項２】
前記第１，下側スイッチは、前記扉の閉状態において互いに対向する配置とした請求項１記載の電動昇降吊戸棚。
【請求項３】
前記扉を開閉する前記上側スイッチをタッチスイッチとし、前記昇降棚を昇降する前記下側スイッチを機械式スイッチとした請求項１または請求項２記載の電動昇降吊戸棚。
【発明の詳細な説明】
【技術分野】
【０００１】
本発明は、食器収納庫等として適用される電動昇降吊戸棚に係り、特に操作性の向上、水濡れ等に対する静電対策の強化、設置時の安全性および外観の向上等を図った電動昇降吊戸棚に関する。
【背景技術】
【０００２】
電動昇降吊戸棚は、例えばシステムキッチンのシンク上方の天井側空間等に設置し、この空間を有効利用してキャビネットを昇降する構成のものであり、これまで種々の提案がなされている。
【０００３】
例えば、キャビネットの前面に開閉扉を設けて上昇時に扉を閉動させ、下降時に扉を開動作させる構成（例えば特許文献１等参照）、あるいはキャビネットの前面を垂直壁として上下方向に昇降する構成（例えば特許文献２等参照）等が知られている。
【０００４】
なお、電動昇降吊戸棚としては種々の乾燥用の熱源や温風供給用駆動部等の電源操作用スイッチ類、昇降するキャビネットの移動、停止、方向選択等の動作制御用操作部を必要とする。この場合、キャビネットは調理台やシンクの上方に配置され、キャビネットの下方には種々の道具や機材、食材が置かれたり、水等が使用される環境であるため、キャビネットまたはキャビネットに付属したハンドル等にスイッチ類や操作部が設けられることが多い。
【０００５】
頻繁に使用されるキッチン等においては、調理器具や食器類その他多くの器具等を収納できるように、形状や構成等の種類について工夫が施されている。近年の建物においては、室内の美観等についても各種デザインが施される等、建物内各所の居住空間に配慮が払われている。
【先行技術文献】
【特許文献】
【０００６】
【特許文献１】特開２００８−１１９０１９号公報
【特許文献２】特開２００５−２１３０３号公報
【発明の概要】
【発明が解決しようとする課題】
【０００７】
上述のように、電動昇降吊戸棚については水等が使用される環境であるため、キャビネットまたはキャビネットに付属したハンドル等にスイッチ類や操作部が設けられることが多く、キャビネット自体が移動機器であるため、これと一体的に移動するスイッチ類は一般に操作し難く、それ自体が誤動作の要因となる場合がある。
【０００８】
また、電動昇降吊戸棚の操作については、使用者によってはスイッチ類が操作用スイッチ等の大きさや配置、あるいは一時停止機能を含む場合があり、機能性をスイッチ数の配列等によっては誤操作する可能性が含まれる場合も考えられる。
【０００９】
なお、従来の電動昇降吊戸棚においては、設置作業時等の待機時に建物の床面上に載置させる場合、下方部位に操作部等を設けると、床等との接触により破損等を生じることがある。
【００１０】
さらに、電動昇降吊戸棚はキッチン等の室内天井側に配置され、目に付き易いため、大きさや形状によっては、動作部分の構成により圧迫感が生じることもある。
【００１１】
また、棚の昇降動作を行う際にスイッチのオン、オフ操作等に要する動作範囲が広いと使用者の手動によるスイッチ操作が多くなる場合や、逆にスイッチ類が分散配置とされてコンパクト化に反する場合もある。また、乾燥室内において蒸気、水等の水分は電気的な構成部品等への侵入により、誤動作の原因になることもある。さらに、美観を備えること、また違和感や迫感が少いことも望ましい。
【００１２】
本発明はこのような事情に鑑みてなされたものであり、棚の昇降動作を行う場合にスイッチのオン、オフ操作等に要する動作が少なくて済み、操作性に優れた電動昇降吊戸棚を提供することを目的とする。
【００１３】
また、スイッチ類をコンパクトな配置にすることができ、利用者が余分な操作を行う必要もなく、容易に操作が行える操作性に優れた電動昇降吊戸棚を提供することを目的とする。
【００１４】
また、設置作業時に建物の床面上に載置させる場合に、部品衝突や過荷重等により破損等を生じる虞がなく、構造部の破損防止機能を向上することができる電動昇降吊戸棚を提供することを目的とする。
【００１５】
さらに、電動スイッチ類の操作性向上が図れると同時に、水濡れ等による誤動作の防止等も確実に図れ、安全性も十分に確保できる電動昇降吊戸棚を提供することを目的とする。
【課題を解決するための手段】
【００１６】
本発明は上記事情等を考慮してなされたものであり、建物上部に電動式昇降機構によって昇降するキャビネットを設け、このキャビネットの前面側に上端を支点として開閉する扉を配置した電動昇降吊戸棚であって、前記電動式昇降機構を操作するための操作部として、前記扉における前記支点と反対の側に配置された昇降操作用の上側スイッチと、前記昇降棚の下部に配置された昇降操作用の下側スイッチとを備えたことを特徴とする電動昇降吊戸棚を提供する。
【発明の効果】
【００１７】
本発明によれば、電動式昇降機構を操作するための操作部として、扉における支点と反対の側に配置された昇降操作用の上側スイッチと、昇降棚の下部に配置された昇降操作用の下側スイッチとを備える構成としたことにより、棚の昇降動作を行う場合にスイッチのオン、オフ操作等に要する動作が少なくて済み、操作性に優れたものとなる。
【００１８】
また、スイッチ類をコンパクトな配置にすることができ、極めて簡単な操作によって利用者が余分な操作を行う必要もなく、容易に操作が行える。
【００１９】
また、設置作業時等の待機時に建物の床面上に載置させるような場合に、部品衝突や過荷重等により破損等を生じる突出部が少なく、構造部の破損防止機能を向上することができる。
【００２０】
さらに、電動スイッチ類の操作性向上が図れると同時に、水濡れ等による誤動作の防止等も確実に図れ、安全性も十分に確保することができる。
【００２１】
したがって、本発明によれば、操作性の向上、水濡れ等に対する静電対策の強化、設置時等の安全性および外観の向上等を図ることができる。
【図面の簡単な説明】
【００２２】
【図１】本発明に係る電動昇降吊戸棚の一実施形態を示す全体斜視図。
【図２】本発明に係る電動昇降吊戸棚の内部構成を示す斜視図。
【図３】本発明に係る電動昇降吊戸棚のスイッチ部を示す部分拡大図。
【図４】図１に示した電動昇降吊戸棚のキャビネット下降状態を示す正面図。
【図５】図４に示した電動昇降吊戸棚の右側面図。
【図６】図１に示した電動昇降吊戸棚のキャビネット上昇状態を示す正面図。
【図７】図６に示した電動昇降吊戸棚の右側面図。
【図８】図７のＡ部拡大図。
【発明を実施するための形態】
【００２３】
以下、本発明に係る電動昇降吊戸棚の一実施形態について図面を参照して説明する。なお、本実施形態では、一例として、システムキッチンにおける天井設置式の昇降式食器乾燥機として適用する場合について説明する。ただし、その他の電動昇降吊戸棚、例えば乾燥庫、水切り棚等、種々の吊戸棚に適用することができる。
【００２４】
まず、図１および図２により、昇降式食器乾燥機の全体構成について説明する。
【００２５】
図１および図２に示すように、本実施形態の昇降式食器乾燥機は、家屋等の建物内の天井またはその付近に設置されるキャビネットとして外箱１と、この外箱１に昇降可能に設けられた内箱２とを有しており、外箱１の前面側には扉３が設けられている。
【００２６】
外箱１は、水平に配置され前後幅が一定の長方形状天板１ａと、この天板１ａの横幅と同一幅で天板１ａの前縁部から垂下する前垂板１ｂと、一定幅の両側板１ｃと、背板１ｄ等により構成されている。この構成により、外箱１の前面側と、外箱１の下端側全面とが開口している。
【００２７】
外箱１の両側板１ｃの内面には、内箱２を昇降ガイドするための縦長なガイドレール４がそれぞれ設けてあり、天板１ａの内面（下面）には部品支持用のフレーム５が外箱１の幅方向（図１の左右方向）の両側板１ｃに沿って設けられている。
【００２８】
外箱１の前垂板１ｂには、この外箱１の上端縁部に設けたヒンジ６を介して扉３が連結されている。なお、ヒンジ６の数は任意に設定することができる。
【００２９】
扉３は、上辺部材３ａ，下辺部材３ｂおよび両側部材３ｃ、３ｃと、これらの部材３ａ〜３ｃで囲まれた領域を塞ぐ面板３ｅとを有し、全体として四角形板状の構成をなしている。この扉３が、外箱１の前面側の略全域を覆う配置とされている。
【００３０】
そして、扉３は外箱１の前面側の上端縁部を支点とし、かつ下端側を開動端として、外箱１の前面側において前後方向に回動し得る構成となっている。
【００３１】
すなわち、扉３は外箱１の前面側に配置されており、上端を支点として開動することにより、外箱１の前面側を開閉することができる。
【００３２】
また、内箱２は食器乾燥機本体を構成するものであり、上板２ａ、下板２ｂ、両側板２ｃおよび背板２ｄにより前面が開口する箱形容器を構成している。
【００３３】
内箱２の内部には、上下２段の食器籠７が設けられている。この内箱２の両側板２ｃにおける外面間の寸法が、外箱１の両側板１ｃの内面間の寸法よりも僅かに小さく設定されており、これら各側板１ｃ，２ｃ間にそれぞれ縦長な幅狭い側方空間８が形成されている。なお、内箱２の高さは外箱１より十分小さく構成してあり、これにより外箱１内には内箱２の上方部位に機器スペースが形成されるようになっている。
【００３４】
内箱２は外箱１に昇降機構９によって昇降可能に支持されている。この昇降機構９は例えばベルト式昇降機構であり、外箱１のフレーム５に取付けたモータ１０と、このモータ１０にギア等の動力伝達機構１１を介して連結された巻取りドラム１２と、このドラムに巻装されるベルト１３と、ベルト１３を下方に案内するベルトローラ１４と、内箱２の天板２ａにブラケット１５を介して支持された内箱吊上げ用の吊上げローラ１６と、ベルト１３の端部をフレーム５部位で止着する止着具１７とを有している。
【００３５】
この昇降機構９のベルト１３は例えば２本構成であり、その各ベルト１３により内箱２の左右２箇所が吊上げられる方式となっている。各ベルト１３は、一つの巻取りドラム１２に同時に巻上げられ、それにより内箱２が常時一定姿勢で昇降することができる。
【００３６】
内箱２の両側板２ｃの外面部には、それぞれ上下方向に沿うスライダ４ａが設けてあり、このスライダ４ａが外箱１のガイドレール４に案内されることにより、確実に内箱２の昇降時の姿勢が安定する。
【００３７】
また、内箱２の天板２ａ上には送風機１８、ヒータ１９およびダクト２０が設けられ、送風口２１を介して内箱２に温風が供給されるようになっている。
【００３８】
本実施形態では、内箱２と扉３とが、外箱１と内箱２との各側板１ｃ，２ｃ間に形成される側方空間８に配設したリンク機構３３によって連結されている。各リンク機構３３は各２本ずつのアーム３４，３５により構成され、内箱２の昇降に伴って扉３を開閉させるようになっている。また、扉３の上端側支点近傍位置と外箱１とは、引張りコイルばね３６によって接続され、これにより扉３の下端側には内箱２側に向く常閉方向の付勢力が常時付与されている。
【００３９】
この構成において、本実施形態では昇降機構９の内箱２の上昇および下降、ならびに扉３の開閉操作を行う操作部として、上下１対の操作部、即ち下側スイッチ３７と上側スイッチ３８とを備えている。そして、これらの下側スイッチ３７と上側スイッチ３８とのいずれか一方を操作することにより、内箱２の上昇、下降および扉３の開閉操作を行うことができる構成となっている。
【００４０】
図３は、これら１対の下側スイッチ３７および上側スイッチ３８の構成を拡大して示す詳細図である。また、図４は昇降式食器乾燥機の内箱２の下降状態を示すキャビネット全体の正面図であり、図５は図４の右側面図である。
【００４１】
図３〜図５に示すように、下側スイッチ３７は内箱２を構成する下板２ｂの前面側の左右方向一端側、例えば図３における右側端部位置に横一列に配置されている（なお、左側その他の位置に配置してもよく、また列数等については場合により種々変更してもよい）。
【００４２】
この下側スイッチ３７は機械式スイッチ（例えばボタンスイッチ）構成のものであり、内箱２の下板２ｂの右側から順に、電源スイッチ４１、電源ランプ４２、内箱上昇用スイッチ４３、内箱下降用スイッチ４４、照明ランプ４５等が配置されている。
【００４３】
なお、機械式スイッチの種類については上記のものに限らず、必要な機能に対応して他の各種スイッチに変更することができる。例えば乾燥用スイッチについては他の個所に設置してもよいが、下板２ｂに設けてもよい。
【００４４】
この構成により、例えば水漏れ等がある場合でも誤動作を防止することができる。
【００４５】
一方、上側スイッチ３８はタッチスイッチを用いる構成となっている。この上側スイッチ３８のスイッチ配列は下側スイッチ３７のスイッチ配列に対応して、同一配置で設けられており、この上側スイッチ３８は外箱２を構成する下板３ｂの前面側の左右方向一端側に設けられている。そして、左右配置およびスイッチ機能が下側スイッチ３７のスイッチと同一となる構成としてあり、使用者は操作時に手の位置を上下方向に伸ばすだけで同一のスイッチ機能を容易に得ることができる。
【００４６】
具体的には、この上側スイッチ３８についても下側スイッチ３８と同様に、図３における右側端部位置に横一列に配置されており、外箱３の下板３ｂの右側から順に、電源スイッチ５１、電源ランプ５２、内箱上昇用スイッチ５３、内箱下降用スイッチ５４、照明ランプ５５等が配置されている。
【００４７】
ところで、上側スイッチ３８のスイッチはタッチスイッチにより構成されており、水漏れ等がある場合には誤動作する可能性がある。
【００４８】
しかし、上側スイッチ３８のスイッチが配置される部位は内箱２の外側であり、しかも棚使用時である食器乾燥時や洗浄時等には内箱２の下側スイッチ３７に比して十分高く、水漏れ等は少ない部位である。このため、誤動作の虞は極めて低い。したがって、誤動作に対する欠点が生じることなく、高い操作性を得ることができる。
【００４９】
このように、本実施形態の構成においては、内箱２および扉３の両方の下端部表面に左右同列配置でスイッチを配置することにより、キャビネット上昇状態あるいは、キャビネット下降状態いずれにおいても、上下スイッチの場所が見易くなり、上下いずれかのスイッチ操作を選択使用することができる。したがって、それぞれ昇降動作を行う場合にスイッチのオン、オフ操作等に要する動作が少なくて済む。
【００５０】
更に、内箱２および扉３の両方の下端部表面に左右同列配置でスイッチを配置することで、スイッチ類をコンパクトな配置にすることができ、極めて簡単な操作によって利用者が余分な操作を行う必要もなく、容易に操作が行え、操作性に優れたものとなる。さらに、電動スイッチ類の操作性向上が図れると同時に、水濡れ等による誤動作の防止等も確実に図れ、安全性も十分に確保できるようになる。
【００５１】
図６は、昇降式食器乾燥機の内箱２を上昇させた収納状態を示すキャビネット全体の正面図であり、図７はその側面図である。
【００５２】
図６および図７に示すように、本実施形態の昇降式食器乾燥機ではスイッチ類を設ける操作部が内箱２の底面より上方に配置してあり、底面は平坦な構成となり、下方への突出部がない。このため、設置作業時等の待機時に建物の床面上に内箱２を載置させるような場合、部品衝突や過荷重等により破損等を生じる虞がなく、構造部の破損防止機能を向上することができる。
【００５３】
そして、設置後におけるキャビネット収納状態では、内箱２の底面と扉３の下端部との高さが一致する構成となる。そして図６に示すように、収納状態では内箱２の略全体が扉３の裏面側に隠れた状態となる。これにより、建物のキッチン等の室内の天井側に配置されて目に付き易い昇降式食器乾燥機の外観がコンパクトな構成となる。これにより、比較的大型構造物としての違和感がなく、圧迫感等の減少も図れ、外観的にも調和がとれたものとなる。
【００５４】
図８は図７のＡ部を示す拡大図であり、扉閉状態における昇降式食器乾燥機の前面下部の側面構成を示している。
【００５５】
この図８に示すように、本実施形態においては、昇降式食器乾燥機の収納状態である扉２の閉状態において、この扉３に設けられた下側スイッチ３７と、内箱２に設けられた上側スイッチ３８とが、互いに対向する配置になる構成としてある。
【００５６】
この構成により、昇降式食器乾燥機の不使用時おいては、内箱２に設けられた上側スイッチ３８が下側スイッチ３７と互いに平行な配置となり、内箱２の内方に隠れた状態となり、建物内各所の居住空間に配慮が払われたものとなる。
【符号の説明】
【００５７】
１  外箱
２  内箱
３  扉
４  ガイドレール
４ａ  スライダ
５  フレーム
６  ヒンジ
７  受具
８  側方空間
９  昇降機構
１０  モータ
１１  動力伝達機構
１２  巻取りドラム
１３  ベルト
１４  ベルトローラ
１５  ブラケット
１６  吊上げローラ
１７  止着具
１８  送風機
１９  ヒータ
２０  ダクト
２１  送風口
２２  ドレン受け
２３  排水口
２４  ドレン貯め
２５  ランプ、入力スイッチ等
２６  パネル
２７  操作レバー
２８  支点ピン
２９  アクチュエータ
３０  リミットスイッチ
３１  リミットスイッチ
３２  制御装置
３３  リンク
３７  下側スイッチ
３８  上側スイッチ
４１  電源スイッチ
４２  電源ランプ
４３  内箱上昇用スイッチ
４４  内箱下降用スイッチ
４５  照明ランプ
５１  電源スイッチ
５２  電源ランプ
５３  内箱上昇用スイッチ
５４  内箱下降用スイッチ
５５  照明ランプ
【図１】
2010213900.tif 000003
【図２】
2010213900.tif 000004
【図３】
2010213900.tif 000005
【図４】
2010213900.tif 000006
【図５】
2010213900.tif 000007
【図６】
2010213900.tif 000008
【図７】
2010213900.tif 000009
【図８】
2010213900.tif 000010